(57)【要約】【課題】絞り羽根とストッパとの衝突音を小さくする。【解決手段】光量調節装置１０は、開放絞りとなる開口１１ａが形成された地板１１と、この地板１１に保持される絞り羽根１３とを備えている。絞り羽根１３には、前記開口１１ａよりも小径の絞り開口１３ａが形成されている。絞り羽根１３は、絞り開口１３ａを光軸に挿入する挿入位置と、この挿入位置から退避する退避位置との間で回動自在に設けられている。絞り羽根１３は、ストッパ３６ａ，３６ｂによって挿入位置と退避位置のそれぞれの位置に規制される。ストッパ３６ａ，３６ｂは、ゴムで形成される。このため、絞り羽根１３とストッパ３６ａ，３６ｂの衝突音が小さい。【選択図】　　　　図１
2004125949.tif 000002
【特許請求の範囲】
【請求項１】
開放絞りよりも小径の絞り開口が形成され、前記絞り開口が光軸上に挿入される挿入位置と、前記挿入位置から退避する退避位置との間で移動自在に設けられた絞り羽根と、この絞り羽根を保持する地板と、前記絞り羽根との当接により、前記絞り羽根を前記挿入位置及び前記退避位置に規制する規制部材とを有する光量調節装置において、
前記規制部材を、反発性の低い部材で形成したことを特徴とする光量調節装置。
【請求項２】
前記規制部材は、弾性部材で構成されていることを特徴とする請求項１記載の光量調節装置。
【請求項３】
前記規制部材は、繊維状の部材で構成されていることを特徴とする請求項１記載の光量調節装置。
【発明の詳細な説明】
【０００１】
【発明の属する技術分野】
本発明は、デジタルカメラ等の光学機器に用いられる光量調節装置に関するものである。
【０００２】
【従来の技術】
デジタルスチルカメラなどの光学機器には、絞り口径を切り替えることにより光量調節を行う光量調節装置が内蔵されている。この光量調節装置は、例えば、開放絞り口径よりも小さい口径の絞り開口を有した少なくとも１　枚の絞り羽根と、この絞り羽根を保持する地板とを備えている。絞り羽根は、前記絞り開口を光軸上に挿入する挿入位置と、この挿入位置から退避する退避位置との間で移動自在に取り付けられる。地板には、絞り羽根の他、この絞り羽根を駆動する電磁駆動ユニットが設けられるので、強度の高い材料、例えば、ポリカーボネート等の硬質の樹脂で成形される。この地板上には、絞り羽根との当接により、前記絞り羽根を前記挿入位置及び退避位置に規制するストッパ（規制部材）が一体に形成される（例えば、特許文献１参照）。
【０００３】
近年のデジタルスチルカメラは、動画記録が出来るものが一般的であり、動画の記録と同時に内蔵されたマイクにより、音声も記録できるようになっている。動画記録中に、直射日光の当たっている被写体から日陰の被写体へパンしたときや、逆に日陰の被写体から直射日光の当たっている被写体へパンしたとき等のように、光量が急激に変化すると、光量を調節する為に前記絞り羽根が前記挿入位置と退避位置との間を移動する。
【０００４】
【特許文献１】
特開２００１−７５１４３号公報
【０００５】
【発明が解決しようとする課題】
しかしながら、従来の光量調節装置は、ストッパが地板と同じ材料（硬質の樹脂）で形成されているので、絞り羽根とストッパとの衝突音が大きく、動画記録途中に絞りが切り替わると、マイクが衝突音を拾い、それが雑音として記録されてしまうという問題があった。このため、絞り羽根とストッパとの衝突音をできるだけ小さくしたいという要望があった。
【０００６】
本発明は、絞り羽根とストッパとの衝突音が小さい光量調節装置を提供することを目的とする。
【０００７】
【課題を解決するための手段】
本発明の光量調節装置は、絞り羽根を規制するストッパを、絞り羽根が取り付けられる地板よりも反発性の低い部材、例えば、ゴムなどの弾性部材や、フェルト等の柔らかい繊維状の材料で形成したことを特徴とする。
【０００８】
【発明の実施の形態】
図１に示す光量調節装置１０は、例えば、デジタルスチルカメラのレンズ鏡筒内に組み込まれる。光量調節装置１０は、基板部材である地板１１、この地板１１に保持される絞り羽根１３及びシャッタ羽根１４、これら各羽根１３，１４を地板１１とともに挟み込むように覆う羽根押さえ板１６からなる。地板１１には、シャッタ羽根１４及び絞り羽根１３のそれぞれを駆動するための電磁駆動ユニット１７が２つ設けられており、各電磁駆動ユニット１７は地板１１の下面に固定されている。電磁駆動ユニット１７には、回転軸１７ａと駆動ピン１７ｂが設けられている。それぞれが地板１１の上面に突出している。駆動ピン１７ｂは、地板１１に形成された扇形の開口１１ｂに挿通されている。絞り羽根１３及びシャッタ羽根１４は、それぞれ回転軸１７ａに回動自在に取り付けられ、駆動ピン１７ｂによって駆動される。
【０００９】
地板１１及び羽根押さえ板１６は、それぞれポリカーボネート等の硬質の樹脂で形成されている。地板１１と羽根押さえ板１６の中央部には、それぞれ開口１１ａ，１６ａが形成されている。これら開口１１ａ，１６ａは光軸１８上に配置されており、開放絞りとなる。地板１１上には、羽根押さえ板１６の取り付け脚となるボス１９ａ，１９ｂが設けられている。ボス１９ａ，１９ｂには、ネジ穴が形成されており、羽根押さえ板１６は、これをボス１９ａ，１９ｂ上に配置した状態でネジ２１によってネジ止めされる。ボス１９ａ，１９ｂの高さは絞り羽根１３及びシャッタ羽根１４が走行する適宜な空隙が設けられるように決められる。
【００１０】
シャッタ羽根１４には、軸穴１４ｂと長穴１４ｃとが形成されている。軸穴１４ｂには回転軸１７ａが、長穴１４ｃには駆動ピン１７ｂがそれぞれが挿通される。シャッタ羽根１４は、駆動ピン１７ｂが移動することにより、その遮蔽部１４ａを光軸１８に挿入する挿入位置と、この挿入位置から退避する退避位置との間で回動する。地板１１上には、このシャッタ羽根１４の回動範囲を規制するストッパ２２ａ，２２ｂが形成されている。ストッパ２２ａ，２２ｂは、例えば、地板１１と一体に形成される。シャッタ羽根１４は、各ストッパ２２ａ，２２ｂと当接することにより、前記挿入位置及び退避位置で静止する。
【００１１】
絞り羽根１３には、開口１１ａ及び開口１６ａよりも小径の絞り開口１３ａが形成されており、また、シャッタ羽根１４と同様に、回転軸１７ａが挿通される軸穴１３ｂと、駆動ピン１７ｂが挿通される長穴１３ｃとが形成されている。絞り羽根１３は、地板１１上に回転軸１７ａを中心に回動自在に保持されており、図２に示すように、絞り開口１３ａが光軸１８上に挿入される挿入位置と、図３に示すように、この挿入位置から退避する退避位置との間で回動する。
【００１２】
地板１１上には、絞り羽根１３の回動範囲を規制するストッパ３６ａ，３６ｂが設けられている。ストッパ３６ａは、絞り羽根１３と当接することにより、絞り羽根１３を挿入位置に規制し、他方、ストッパ３６ｂは、絞り羽根１３と当接することにより、絞り羽根１３を退避位置に規制する。各ストッパ３６ａ，３６ｂは、地板１１に使用される材料よりも、反発性が低い弾性部材であるゴムで形成されている。こうすることで、絞り羽根１３と各ストッパ３６ａ，３６ｂとが衝突したときに発生する衝突音が軽減されるようにしている。
【００１３】
各ストッパ３６ａ，３６ｂは、例えば、接着剤により地板１１に固定される。羽根押さえ板１６には、各ストッパ３６ａ，３６ｂが地板１１から外れないように、各ストッパ３６ａ，３６ｂをその上面から押さえつけるストッパ押さえ部材３７ａ，３７ｂが設けられている。
【００１４】
電磁駆動ユニット１７は、マグネットロータ４６、ステータヨーク４７、電磁コイル４８、マグネットカバー４９からなる。マグネットロータ４６は、回転軸１７ａと駆動ピン１７ｂが設けられた駆動レバー３１と、この駆動レバー３１の下面に取り付けられた永久磁石５２とからなる。駆動レバー５１の下面には、回転軸１７ａが突きだしており、この回転軸１７ａを永久磁石３２に圧入することにより、駆動レバー５１に永久磁石５２が固定される。なお、インサート成形により、駆動レバー５１と永久磁石５２とを固定してもよい。回転軸１７ａの下端は、マグネットカバー４９の軸受け穴４９ａと嵌合して保持される。
【００１５】
永久磁石５２の外周面は、２極に着磁されて磁極が形成されている。ステータヨーク４７は、軟磁性材料を複数枚積層してそれらを連結したものである。このステータヨーク４７には、導線からなる電磁コイル４８が取り付けられている。永久磁石５２の外周面は、ステータヨーク４７によって包囲される。
【００１６】
マグネットロータ４６の全回転角度は、例えば、５０°であり、永久磁石５２の磁極とステータヨーク４７の配置関係は、マグネットロータ４６の全回転角度の中間点である２５°の位置で、永久磁石５２とステータヨーク４７との間に作用する吸引力（デイテント力）がゼロとなり、マグネットロータ４６が０°又は５０°の位置にある時にデイテント力が最大となるようにしている。電磁コイル４８の通電がオフされている時には、ステータヨーク４７が非励磁状態にあり、永久磁石５２とステータヨーク４７との間に作用するデイテント力によって、マグネットロータ４６が０°又は５０°の位置に保持される。
【００１７】
この状態から、電磁コイル４８に電流を流す（通電オン）と、ステータヨーク４７とマグネットロータ２０との間に吸引力と反発力が生じ、マグネットロータ２０が回転する。この吸引力と反発力が作用する方向は、電磁コイル４８に電流を流す向きによって切り替わるようになっている。これにより電磁コイル４８に通電することで、マグネットロータ２０を０°と５０°の間で回動させることができる。そして、上述したとおり、マグネットロータ４６が０°又は５０°の位置にあるときには、電磁コイル４８の通電をオフしても、マグネットロータ４６と永久磁石５２との間にはデイテント力が作用するので、このデイテント力によってマグネットロータ４６を０°又は５０°の位置で静止させることができる。
【００１８】
以下、上記構成による作用について説明する。デジタルスチルカメラで動画を撮影する場合には、動画の記録とともにマイクによって音声が記録される。被写体の輝度が変化した場合には、光量調節装置１０が作動して、絞りが切り替えられる。電磁駆動ユニット１７の駆動により、絞り羽根１４が挿入位置及び退避位置の一方の位置から他方へ回動すると、絞り羽根１４が各ストッパ３６ａ，３６ｂのいずれかと当接して停止する。各ストッパ３６ａ，３６ｂは、ゴムによって形成されているから、当接時の衝突音が小さい。このため、この衝突音がマイクによって拾われることはないので、ノイズのない動画を撮影することができる。
【００１９】
図４に示す光量調節装置６１は、絞り羽根１３とシャッタ羽根１４との間に仕切板６２を配置した例である。なお、上述の第１の実施形態と同一の部材については同一符号を用いる。仕切板６２には、開口１１ａ及び開口１６ａと対応する位置に開放絞りとなる開口６２ａが形成されており、開口１１ｂに対応する位置には、開口６２ｂが形成されている。この開口６２ｂから駆動ピン１７ｂが突出する。この仕切板６２を介して、絞り羽根１３は地板１１に保持される。絞り羽根１３のストッパ３６ａ，３６ｂは、仕切板６２に取り付けられる。
【００２０】
また、図５に示すように、絞り羽根１３の絞り開口１３ａに対応する位置にＮＤフイルタ７１を配置してもよい。ＮＤフイルタ７１は、接着剤により絞り羽根１３に固定される。また、絞り羽根自体を透明なＮＤフイルタの素材を使用して形成してもよい。
【００２１】
なお、絞り羽根のストッパの材料として、ゴムを用いた例で説明したが、フェルトや不織布、或いは合成皮革等のように、軟らかい繊維を基材とする材料を用いてもよく、この場合でもゴムを用いた場合と同様の効果を得ることができる。
【００２２】
なお、本発明の光量調節装置を、デジタルスチルカメラに組み込んだ例で説明したが、デジタルスチルカメラ以外にも、例えば、ビデオカメラなどの各種光学機器に適用することができる。
【００２３】
【発明の効果】
以上説明したように、本発明によれば、絞り開口を設けた絞り羽根を光軸に出し入れして、光量を調節する光量調節装置に於いて、絞り羽根を突き当てて位置決めする規制部材を、反発性の低い部材、とりわけゴム等の軟らかい材質で構成することにより、絞り羽根が規制部材へ衝突するときの衝突音が小さい光量調節装置を提供することができる。これにより、動画記録中に絞り羽根が作動しても、前記衝突音がノイズとしてマイクへ拾われてしまうことがなくなる。
【図面の簡単な説明】
【図１】本発明の光量調節装置の分解斜視図である。
【図２】絞りが小絞りのときの絞り羽根の位置を示す説明図である。
【図３】絞りが開放絞りのときの絞り羽根の位置を示す説明図である。
【図４】シャッタ羽根と絞り羽根の間に仕切板を設けた光量調節装置の説明図である。
【図５】絞り羽根にＮＤフイルタを設けた例を示す説明図である。
【符号の説明】
１０　光量調節装置
１１　地板
１３　絞り羽根
１３ａ　絞り開口
１７　電磁駆動ユニット
３６ａ，３６ｂ　ストッパ
【図１】
2004125949.tif 000003
【図２】
2004125949.tif 000004
【図３】
2004125949.tif 000005
【図４】
2004125949.tif 000006
【図５】
2004125949.tif 000007